(57)【要約】【課題】所望する日付の日計帳票を得るまでに要するユーザの手間と時間を簡略化する。【解決手段】店舗にて販売処理された各商品の売上データをＰＯＳ端末から収集し、売上合計器ファイルで日別に集計する。ストアサーバのディスプレイにトップ画面として表示されるメインメニュー画面に暦表を表示させる。そして、この暦表からいずれかの日付が選択操作されると、その日付の売上集計データが表示された日計帳票の出力業務に対応するプログラムを起動させる。【選択図】      図６
2006127147.tif 000002
【特許請求の範囲】
【請求項１】
メニュー画面を表示する表示部と、前記メニュー画面の操作手段とを有し、前記メニュー画面から前記操作手段により選択操作された店舗業務に対応するプログラムを起動して業務処理を実行する店舗業務処理装置において、
店舗にて販売処理された各商品の売上データを日別に集計する日別売上集計手段と、
前記メニュー画面のトップ画面に暦表を表示させる暦表示制御手段と、
前記暦表から前記操作手段によりいずれかの日付が選択操作されると、その日付の売上集計データが表示された日計帳票の出力業務に対応するプログラムを起動させる簡易プログラム起動手段と、
を具備したことを特徴とする店舗業務処理装置。
【請求項２】
前記暦表示制御手段は、暦表の各日付と関連付けて当該日の総売上を表示させることを特徴とする請求項１記載の店舗業務処理装置。
【請求項３】
前記簡易プログラム起動手段は、部門別日計帳票の出力業務に対応するプログラムを起動させる手段であり、このプログラム処理により前記表示部に部門別日計帳票が表示出力された状態で当該部門別日計帳票中のいずれかの部門が前記操作手段により選択操作されると、当該部門に属する単品別日計帳票の出力業務に対応するプログラムをさらに起動させることを特徴とする請求項１記載の店舗業務処理装置。
【発明の詳細な説明】
【技術分野】
【０００１】
本発明は、表示部に表示されたメニュー画面から選択された業務に対応するプログラムを起動して種々の店舗業務を処理する店舗業務処理装置に関する。
【背景技術】
【０００２】
スーパーマーケット等の小売店に導入されているＰＯＳ（Point Of Sales）システムは、売上，発注，在庫等の商品情報の管理だけでなく、顧客情報，仕入先情報，社員情報等、店舗運営に関わる様々な情報の管理システムとして機能するべく種々の業務プログラムを実装している。そして電源が投入されると、表示部に実行可能な業務のメニュー画面を表示させ、このメニュー画面からいずれかの業務が選択されると、その業務に対応するプログラムを起動して当該業務処理を実行するものとなっている。
【０００３】
ところで通常、ＰＯＳシステムは実行可能な業務の数が多いので、各業務をその内容が類似するもの同士を組み合わせるように分類し、その分類項目名をメインメニューとして配置したメインメニュー画面をトップ画面として表示させる。そして、このメインメニュー画面からいずれかの分類項目名が選択されると、その分類に属する業務の項目名をサブメニューとして配置したサブメニュー画面を次に表示させる。そして、このサブメニュー画面からいずれかの業務項目名が選択されると、その業務に対する業務プログラムを起動するようになっている。
【０００４】
このものにおいて、分類の数が多い場合にはそれをさらに大分類で括り、大分類の項目をトップ画面であるメインメニュー画面に配置して、メインメニューから第１のサブメニューへ、さらには第２のサブメニューへというように段階的にメニュー画面を切り替えることで、ユーザが所望する業務を選択できるようになっていた。（例えば、特許文献１参照）。
【特許文献１】特開平０８−３０９００８号公報
【発明の開示】
【発明が解決しようとする課題】
【０００５】
ところで、店舗業務の１種に帳票出力業務がある。この業務は、ＰＯＳ端末で販売処理された各商品の売上データを営業日毎に商品別や部門別に細分化して集計し、その売上集計データをリスト形式でまとめた帳票を表示または印字出力する業務であって、帳票には、１営業日単位に各商品の売上データを部門別に集計した結果である部門別日計帳票や、同一部門に属する商品の売上集計データを商品別に集計した結果である単品別日計帳票等がある。これらの日計帳票を出力させるためには、先ずトップ画面のメインメニューから帳票出力業務を選択し、次に次画面の帳票出力業務サブメニューから日計帳票業務を選択し、さらに次画面の日計帳票業務サブメニューから部門別日計帳票あるいは単品別日計帳票等を選択した後、所望する日付（年月日）を入力する必要があった。このため、ユーザが所望する日付の日計帳票を得るまでには、その日計帳票の出力プログラムが起動するまでメニュー画面から何度も業務を選択操作したり日付を入力したりしなければならない煩雑さがあった。
【０００６】
本発明はこのような事情に基づいてなされたもので、その目的とするところは、所望する日付の日計帳票を得るまでに要するユーザの手間と時間を簡略化することができ、業務処理効率を高め得る店舗業務処理装置を提供しようとするものである。
【課題を解決するための手段】
【０００７】
本発明は、メニュー画面を表示する表示部と、メニュー画面の操作手段とを有し、メニュー画面から操作手段により選択操作された店舗業務に対応するプログラムを起動して業務処理を実行する店舗業務処理装置において、店舗にて販売処理された各商品の売上データを日別に集計する日別売上集計手段と、メニュー画面のトップ画面に暦表を表示させる暦表示制御手段と、暦表から操作手段によりいずれかの日付が選択操作されると、その日付の売上集計データが表示された日計帳票の出力業務に対応するプログラムを起動させる簡易プログラム起動手段とを備えたものである。
【発明の効果】
【０００８】
かかる手段を講じた本発明によれば、所望する日付の日計帳票を得るまでに要するユーザの手間と時間を簡略化することができ、業務処理効率を高め得る店舗業務処理装置を提供できる。
【発明を実施するための最良の形態】
【０００９】
以下、本発明を実施するための最良の形態について図面を用いて説明する。  
なお、この実施の形態は、図１に示すように、複数台のＰＯＳ端末１から送出される商品売上データいわゆる売上トランザクションデータ２を、ＬＡＮ（Local Area Network）等の通信回線３を介して収集し集計して、部門別日計帳票，単品別日計帳票等の各種帳票を出力するストアサーバ４に本発明を適用した場合である。
【００１０】
本実施の形態において、ストアサーバ４は、各種帳票を印刷出力するためのプリンタ５を接続している。また、後述する部門別売上合計器ファイル６及び単品別売上合計器ファイル７等の種々の合計器ファイルを備えている。
【００１１】
図２は前記売上トランザクションデータ２のデータ構造を示す模式図である。同図において、ＰＯＳＩＤは、当該売上トランザクションデータ２を生成したＰＯＳ端末１の識別コードである。売上日付及び売上時刻は、当該売上トランザクションデータ２が生成された商取引の実行日付及び時刻である。売上点数及び売上金額は、当該売上トランザクションデータ２が生成された商取引で売上処理された商品の合計点数及び合計金額である。商品コード，部門コード，点数及び金額は、当該売上トランザクションデータ２が生成された商取引で売上処理された商品１品あたりのデータである。客層コードは、当該売上トランザクションデータ２が生成された商取引の相手である顧客の客層を識別するコードである。取引区分は、当該売上トランザクションデータ２が生成された商取引の決済方式（現金取引，クレジット，掛売り等）を識別するコードである。
【００１２】
各ＰＯＳ端末１においては、顧客が買上げる商品の販売データが登録され、締めキーが操作されて当該顧客との商取引の登録締めが宣言されると、当該商取引で入力されたデータを元に図２に示すデータレイアウトの売上トランザクションデータ２を生成し、ＬＡＮ３を通じてストアサーバ４に送出するものとなっている。
【００１３】
図３はストアサーバ４の要部構成を示すブロック図である。このストアサーバ４は、制御部本体としてＣＰＵ（Central Processing Unit）１１を備えている。また、主記憶部としてのＲＯＭ（Read Only Memory）１２及びＲＡＭ（Random Access Memory）１３と、現在の日付（曜日）及び時刻を計時する時計部１４と、不揮発性の大容量記憶媒体であるＨＤＤ（Hard Disk Drive）装置１５及びこのＨＤＤ装置１５に対するデータの書込み、読出しを制御するＨＤＤコントローラ１６と、通信インターフェイス１７，プリンタインターフェイス１８，キーボードインターフェイス１９，ディスプレイインターフェイス２０，マウスインターフェイス２１等の種々のインターフェイスを、当該ストアサーバ４は備えている。そしてＣＰＵ１１と、ＲＯＭ１２，ＲＡＭ１３，時計部１４，ＨＤＤコントローラ１６及び各種インターフェイス１７〜２１とを、アドレスバス，データバス等のバスライン２２で接続している。
【００１４】
通信インターフェイス１７には、有線または無線のＬＡＮ３を介して各ＰＯＳ端末１が接続されている。プリンタインターフェイス１８には、各種帳票等を印刷出力するためのプリンタ５が接続されている。キーボードインターフェイス１９には、数値データやコマンド等を入力するためのキーボード２３が接続されている。ディスプレイインターフェイス２０には、メニュー画面等を表示可能なディスプレイ２４が接続されている。マウスインターフェイス２１には、ディスプレイ２４の画面に表示されるポインタの操作デバイスであるマウス２５が接続されている。
【００１５】
かかる構成のストアサーバ４は、図４に示すように、日付毎に各商品を分類する部門コード別の売上点数及び売上金額を累計（合計）する部門別売上合計器ファイル６と、同じく日付別に各商品別の売上点数及び売上金額を累計（合計）する単品別売上合計器ファイル７とを、ＨＤＤ装置１５に保存している。ここに、部門別売上合計器ファイル６及び単品別売上合計器ファイル７は、店舗にて販売処理された各商品の売上データを日別に集計する日別売上集計手段を構成する。
【００１６】
また、任意の期間（例えば本年を含み前後１０年分）の暦データと、日曜から月曜までの７日分を１行とし、６行，計４２日分の日付エリアをマトリクス状に配置してなる暦表データとを、ＲＯＭ１２あるいはＨＤＤ装置１５の不揮発性記憶装置に記憶している。
【００１７】
しかしてストアサーバ４は、電源オンにより起動し所定の立上げ処理を行った後、ＣＰＵ１１が図６の流れ図に示す手順で各部を制御するものとなっている。
【００１８】
先ずＣＰＵ１１は、ＳＴ（ステップ）１として時計部１４にて計時されている日付（年月日）から月を取得し、カウンタＡにセットする。そして、ＳＴ２として暦データと暦表データとを基に当該月（Ａ月度）の月間暦表を表すイメージデータを編集する。
【００１９】
次にＣＰＵ１１は、ＳＴ３として部門別売上合計器ファイル６から当該月（Ａ月度）における毎日の部門計データ（点数，金額）を読み出す。この部門計データは、同一日における各部門の売上点数及び売上金額を合計した総売上データである。そこでＣＰＵ１１は、ＳＴ４として当該月（Ａ月度）の月間暦表における各日付エリアに、該当日の部門計データが表示されるようにイメージデータを加工する。そして、ＳＴ５としてこのイメージデータを画像メモリ上に展開してメインメニュー画面を作成し、このメインメニュー画面をストアサーバ４のトップ画面としてディスプレイ２４に表示させる（暦表示制御手段）。
【００２０】
図８にメインメニュー画面（トップ画面）３０の一例を示す。メインメニュー画面３０には、月間暦表３１の他、「ＰＯＳ業務」，「メンテナンス」，「在庫管理」，「発注」等の各種業務メニューリスト３２や、月間暦表３１の前月へのシフトを指示する「前の月へ」ボタン３３や、月間暦表３１の次月へのシフトを指示する「次の月へ」ボタン３４などが表示されている。
【００２１】
そこでＣＰＵ１１は、ＳＴ６〜ＳＴ９としてメインメニュー画面３０が操作手段であるマウス２５によって選択操作（クリック）されるのを待機する。ここで、「前の月へ」ボタン３３が選択操作された場合には、ＣＰＵ１１は、ＳＴ１０としてカウンタＡの月数を“１”だけ減算する。そして、ＳＴ２〜ＳＴ５の処理を再度実行して、メインメニュー画面３０の月間暦表３１を前月のデータに更新する。なお、カウンタＡの月数を“１”だけ減算した結果、“０”となった場合には、カウンタＡを前年度の１２月を示す値に変更する。
【００２２】
また、「次の月へ」ボタン３４が選択操作された場合には、ＣＰＵ１１は、ＳＴ１１としてカウンタＡの月数を“１”だけ加算する。そして、ＳＴ２〜ＳＴ５の処理を再度実行して、メインメニュー画面３０の月間暦表３１を翌月のデータに更新する。なお、カウンタＡの月数を“１”だけ加算した結果、“１３”となった場合には、カウンタＡを翌年度の１月を示す値に変更する。
【００２３】
また、各種業務メニューリスト３２からいずれかのメニューが選択操作された場合には、ＣＰＵ１１は、ＳＴ１２として当該メニューに対して階層が下位のサブメニューが設定されているか否かを判断する。そしてサブメニューが設定されている場合には、ＳＴ１３としてそのサブメニューリストを配置したサブメニュー画面をディスプレイ２４に表示させる。ここで、ＳＴ１４としていずれかのサブメニューが選択操作された場合には、ＣＰＵ１１は、ＳＴ１２の処理と同様に当該メニューに対して階層が下位のサブメニューが設定されているか否かを判断する。そしてサブメニューが設定されている場合には、そのサブメニューリストを配置したサブメニュー画面をディスプレイ２４に表示させる。
【００２４】
一方、選択操作されたメニューに対してサブメニューが設定されていない場合には、ＣＰＵ１１は、ＳＴ１５として当該メニューの店舗業務に対応するプログラムを起動して業務処理を実行する。そして、この業務処理終了後、ＳＴ１６としてトップ画面への移動が指令された場合には、ＣＰＵ１１は、この処理の開始に戻り、ＳＴ１〜ＳＴ５の処理を行って、今月の月間暦表３１を含むメインメニュー画面３０をトップ画面としてディスプレイ２４に再表示させる。
【００２５】
また、ディスプレイ２４にメインメニュー画面（トップ画面）３０が表示されている状態で、月間暦表３１のいずれかの日付エリア内が選択操作された場合には、ＣＰＵ１１は、ＳＴ１７として当該日付の部門別日計帳票出力業務に対応するプログラムを起動させる。そして、図７の流れ図に示す手順の部門別帳票出力処理を実行する（簡易プログラム起動手段）。
【００２６】
先ずＣＰＵ１１は、ＳＴ２１として部門別売上合計器ファイル６から選択操作された日付の部門別合計点数及び金額データを取得する。そして、ＳＴ２２としてこの部門別合計点数及び金額データに基づいて予め設定されたフォーマットにより部門別日計帳票のイメージデータを編集し、ディスプレイ２４に表示させる。
【００２７】
図９に部門別日計帳票画面４０の一例を示す。部門別日計帳票画面４０には、選択操作された日付における各部門の売上点数及びその構成比と売上金額及びその構成比のリストが表示される。なお、１画面に表示しきれない分は、スクロールバー４１を操作することによってスクロール表示させることができる。また、この部門別日計帳票画面４０には、「ＴＯＰへ」ボタン４２と「印刷」ボタン４３も表示されている。
【００２８】
そこで、ＳＴ２３として「ＴＯＰへ」ボタン４２が選択操作されたことを検知すると、ＣＰＵ１１は、図６に示す処理の開始に戻り、ＳＴ１〜ＳＴ５の処理を行って、今月の月間暦表３１を含むメインメニュー画面３０をトップ画面としてディスプレイ２４に再表示させる。
【００２９】
また、ＳＴ２４として「印刷」ボタン４３が選択操作されたことを検知した場合には、ＣＰＵ１１は、ＳＴ２５として現在表示中の部門別日計帳票のイメージデータをプリンタ５に出力して、記録紙に印刷出力させる。
【００３０】
また、ＳＴ２６として部門別日計帳票画面４０に表示されているいずれかの部門コードあるいは部門名称が選択操作された場合には、ＣＰＵ１１は、ＳＴ２７として単品別売上合計器ファイル７から選択操作された日付でかつ選択操作された部門の商品別合計点数及び金額データを取得する。そして、ＳＴ２８としてこの商品別合計点数及び金額データに基づいて予め設定されたフォーマットにより単品別日計帳票のイメージデータを編集し、ディスプレイ２４に表示させる。
【００３１】
図１０に単品別日計帳票画面５０の一例を示す。単品別日計帳票画面５０には、選択操作された日付の該当部門に属する各商品の売上点数及びその構成比と売上金額及びその構成比のリストが表示される。なお、１画面に表示しきれない分は、スクロールバー５１を操作することによってスクロール表示させることができる。また、この単品別日計帳票画面５０には、「ＴＯＰへ」ボタン５２と「印刷」ボタン５３と「部門へ」ボタン５４も表示されている。
【００３２】
そこで、ＳＴ２９として「ＴＯＰへ」ボタン５２が選択操作されたことを検知すると、ＣＰＵ１１は、図６に示す処理の開始に戻り、ＳＴ１〜ＳＴ５の処理を行って、今月の月間暦表３１を含むメインメニュー画面３０をトップ画面としてディスプレイ２４に再表示させる。
【００３３】
また、ＳＴ３０として「印刷」ボタン５３が選択操作されたことを検知した場合には、ＣＰＵ１１は、ＳＴ３１として現在表示中の単品別日計帳票のイメージデータをプリンタ５に出力して、記録紙に印刷出力させる。
【００３４】
また、ＳＴ３２として「部門へ」ボタン５４が選択操作されたことを検知した場合には、ＣＰＵ１１は、この処理のＳＴ２２の処理に戻り、部門別日計帳票画面４０を再表示させる。
【００３５】
このように、本実施の形態のストアサーバ４においては、トップ画面であるメインメニュー画面３０には、各種の業務メニューリスト３２とともに月間暦表３１が表示されている。そして、月間暦表３１におけるいずれかの日付エリアをマウス２５で選択操作すると、その日付の部門別日計帳票がディスプレイ２４に部門別日計帳票画面４０として出力される。さらに、この部門別日計帳票画面４０の印刷ボタン４３を選択操作すると、プリンタ５によりこの部門別日計帳票が印刷出力される。
【００３６】
また、部門別日計帳票画面４０に表示されている部門別日計帳票のいずれかの部門を選択操作すると、当該日付における当該部門に属する各商品の単品別日計帳票がディスプレイ２４に単品別日計帳票画面５０として出力される。そして、この単品別日計帳票画面５０の印刷ボタン５３を選択操作すると、プリンタ５によりこの単品別日計帳票が印刷出力される。
【００３７】
したがって本実施の形態によれば、ストアサーバ４のユーザ（例えば店長）は、メインメニュー画面３０に表示されている月間暦表３１から所望する日付を選択操作するだけで、その所望する日付の部門別日計帳票が出力された部門別日計帳票画面４０をディスプレイ２４に表示させることができる。また、部門別日計帳票画面４０に表示されている印刷ボタン４３を選択操作するだけで、当該部門別日計帳票を印刷出力させることができる。
【００３８】
さらに、部門別日計帳票画面４０に表示されている部門別日計帳票から所望する部門を選択操作するだけで、その所望する部門に属する商品の単品別日計帳票が出力された部門別日計帳票画面４０をディスプレイ２４に表示させることができる。また、単品別日計帳票画面５０に表示されている印刷ボタン５３を選択操作するだけで、当該単品別日計帳票を印刷出力させることができる。
【００３９】
このように、段階的にメニュー画面を切り替えたり日付を手入力したりするような無駄な手間と時間を要することなく、所望する日計帳票を表示あるいは印刷出力できるので、店舗業務において重要かつ頻度の高い日計帳票出力業務の処理効率を大幅に高めることができる。
【００４０】
なお、この発明は前記実施形態そのままに限定されるものではなく、実施段階ではその要旨を逸脱しない範囲で構成要素を変形して具体化できる。
【００４１】
例えば月間暦表３１のレイアウトは図８に示すものに限定されるものではなく、ユーザがその使用において使い勝手のよいレイアウトに変更することは容易に実施できるものである。
【００４２】
また、前記実施の形態では、月間暦表３１の日付エリアが選択操作されるとその日付の部門別日計帳票を出力したが、日付エリア内に表示されている総合計点数あるいは総合計金額が選択操作された場合に限りその日付の部門別日計帳票を出力するようにしてもよい。また、総合計点数が選択操作された場合には部門別点数集計データの帳票を出力し、総合計金額が選択操作された場合には部門別金額集計データの帳票を出力するようにしてもよい。また、総合計点数の代わりに当該日の総合計客数を表示してもよい。
【００４３】
また、前記実施の形態では、月間暦表３１の日付エリアが選択操作されるとその日付の部門別日計帳票をディスプレイ２４に表示出力したが、部門別日計帳票のイメージデータをプリンタ５に直接送って自動的に印刷出力するようにしてもよい。
【００４４】
また、トップ画面から出力可能な帳票は部門別日計帳票に限定されるものではなく、単品別日計帳票，グループ別日計帳票，時間帯別日計帳票，キャッシャ別日計帳票等、種々の日計帳票であってもよい。また、同時にあるいは連続して２つ以上の日計帳票が出力されてもよい。
【００４５】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４６】
【図１】本発明の一実施の形態であるＰＯＳシステムの全体構成を示す模式図。
【図２】同実施の形態においてＰＯＳ端末からストアサーバに送信される売上トランザクションデータのデータ構造を示す模式図。
【図３】同実施の形態におけるストアサーバの要部構成を示すブロック図。
【図４】同実施の形態においてストアサーバが有する部門別売上合計器ファイルのエリア構造を示す模式図。
【図５】同実施の形態においてストアサーバが有する単品別売上合計器ファイルのエリア構造を示す模式図。
【図６】同実施の形態においてストアサーバのＣＰＵが実行するメイン処理の要部手順を示す流れ図。
【図７】図６における部門別帳票出力処理の手順を具体的に示す流れ図。
【図８】同実施の形態においてストアサーバのディスプレイに表示されるトップ画面の一例を示す模式図。
【図９】同実施の形態においてストアサーバのディスプレイに表示される部門別日計帳票画面の一例を示す模式図。
【図１０】同実施の形態においてストアサーバのディスプレイに表示される単品別日計帳票画面の一例を示す模式図。
【符号の説明】
【００４７】
１…ＰＯＳ端末、４…ストアサーバ、５…プリンタ、６…部門別売上合計器ファイル、７…単品別売上合計器ファイル、１１…ＣＰＵ、１２…ＲＯＭ、１３…ＲＡＭ、１４…時計部、１５…ＨＤＤ装置、２３…キーボード、２４…ディスプレイ、２５…マウス、３０…メインメニュー画面（トップ画面）、４０…部門別日計帳票画面、５０…単品別日計帳票画面。
【図１】
2006127147.tif 000003
【図２】
2006127147.tif 000004
【図３】
2006127147.tif 000005
【図４】
2006127147.tif 000006
【図５】
2006127147.tif 000007
【図６】
2006127147.tif 000008
【図７】
2006127147.tif 000009
【図８】
2006127147.tif 000010
【図９】
2006127147.tif 000011
【図１０】
2006127147.tif 000012